(57)【要約】【課題】  本願は、屋根上設置物の上を流れる雨水を排水させ、それに起因する雨漏り、金属屋根材の錆等を防ぐことができる支持部材、および取付構造を提供することを目的とする。【解決手段】  本願は、屋根上設置物の支持部材の技術である。この支持部材は、樋部と、載置部と、固定具係合部を有する。樋部は、溝底と、溝底の水上側および水下側に立面を有する。この立面の上部には、載置部が形成されている。また、樋部の内側には、固定具係合部が形成されている。この支持部材には、屋根上設置物が、載置部に載置され、固定具係合部に係合された固定具によって固定される。【選択図】  図１
2018141282.tif 000002
【特許請求の範囲】
【請求項１】
樋部が、
溝底と、
該溝底の水上側および水下側に立面を有し、
前記立面の上部には、
載置部が形成されており、
前記樋部の内側には、
固定具係合部が形成されており、
屋根上設置物が、
前記載置部に載置され、
前記固定具係合部に係合された固定具によって固定される
屋根上設置物の支持部材。
【請求項２】
支持部材の外側に、
係止部が形成されており、
該係止部が、
支持部材取付金具への係止と、
はい樋取付部材の係止とに用いられる
請求項１の屋根上設置物の支持部材。
【請求項３】
請求項２の支持部材を用いた屋根上設置物の取付構造であって、
屋根上設置物が、
前記載置部に載置され、
固定具係合部に係合された固定具によって固定されており、
はい樋が、
係止部に係止されたはい樋取付部材によって、
支持部材の端部下方に取り付けられている
屋根上設置物の取付構造。
【発明の詳細な説明】
【技術分野】
【０００１】
本願は、屋根上設置物の上を流れる雨水を排水させ、それに起因する雨漏り、金属屋根材の錆等を防ぐことができる支持部材、および取付構造を提供することを目的とする。
【背景技術】
【０００２】
従来技術について、図９から図１０までで説明する。
【０００３】
図９は、特開２００３−５６１３１号公報にて公開されている太陽エネルギー利用機器及び太陽エネルギー利用アレイに関する技術である。図９に示した先行技術は、本体の周縁部端部同士を嵌合させ、上延出部及び下延出部を連結させることによって、止水処理の特別な作業を不要としている。
【０００４】
図１０は、特開２０１２−１６７４５５号公報にて公開されている太陽光発電ユニットの取付装置に関する技術である。図１０に示した先行技術では、２本の平行状のガッター材上に、載置固定する低受台片及び高受台片によって、太陽光発電ユニットが配置固着されている。この技術によって、太陽光発電ユニットを金属屋根上に極めて簡易に装着することができる。
【先行技術文献】
【特許文献】
【０００５】
【特許文献１】特開２００３−５６１３１号公報
【特許文献２】特開２０１２−１６７４５５号公報
【発明の概要】
【発明が解決しようとする課題】
【０００６】
図９に示した先行技術は、本体の周縁部の形状が特殊である。そのため、周縁部の形状加工が必須であり、コストがかかる。また、市販されている一般的な太陽光発電パネル等の本体の周縁部への応用は、示唆されていなかった。
【０００７】
図１０に示した先行技術は、ガッター材上において、載置固定する低受台片及び高受台片を介して、太陽光発電ユニットが配置固着されている。そのため、ガッター材と太陽光発電ユニットの間に大きな空間があるため、雨水が金属屋根上に到達してしまう可能性が高かった。また、ガッター材上で雨水を受けたとしても、端部から雨水が滴下してしまう構造であった。その結果、その雨水に起因する雨漏り、金属屋根材の錆等につながってしまうことが想定された。
【課題を解決するための手段】
【０００８】
本願は、屋根上設置物の支持部材の技術である。この支持部材は、樋部と、載置部と、固定具係合部を有する。樋部は、溝底と、溝底の水上側および水下側に立面を有する。この立面の上部には、載置部が形成されている。また、樋部の内側には、固定具係合部が形成されている。この支持部材には、屋根上設置物が、載置部に載置され、固定具係合部に係合された固定具によって固定される。
【０００９】
また、本願は、上記に加え、支持部材の外側に、係止部が形成されている。この係止部が、支持部材取付金具への係止のほか、はい樋取付部材の係止にも用いられる。
【００１０】
さらに、本願は、上記の支持部材を用いた屋根上設置物の取付構造である。屋根上設置物が、載置部に載置され、固定具係合部に係合された固定具によって固定されている。また、はい樋が、係止部に係止されたはい樋取付部材によって支持部材の端部下方に取り付けられている。
【発明の効果】
【００１１】
本願は、屋根上設置物が、載置部に載置され、固定具係合部に係合された固定具によって固定される支持部材である。そのため、本体の周縁部の形状は問わない。たてえば、市販されている一般的な太陽光発電パネル等の本体の周縁部であっても加工することなく、雨水を樋部に導く構造に、容易に取り付けることができる。
【００１２】
また、本願は、立面の上部に載置部が形成されている支持部材であり、屋根上設置物が載置部上に直接載置される。そのため、屋根上設置物と支持部材との間に、大きな空間が形成されることがない。したがって、屋根上設置物上の雨水は、金属屋根上に到達することなく、樋部によって排水される構造になっている。
【００１３】
さらに、本願は、支持部材取付金具への係止に用いられる係止部に、はい樋取付部材を係止させることができる。そのはい樋取付部材によって、はい樋が支持部材の端部下方に取り付けられている。そのため、支持部材の端部から雨水が滴下してしまうことなく、はい樋で受け、軒先に導水することができる。その結果、その雨水に起因する雨漏り、金属屋根材の錆等が極めて発生しにくくなる。
【図面の簡単な説明】
【００１４】
【図１】本願の屋根上設置物の支持部材の実施例を示す説明図である。
【図２】本願の屋根上設置物の取付構造の実施例を示す説明図である。
【図３】本願の屋根上設置物の取付構造の実施例を示す説明図である。
【図４】本願の屋根上設置物の取付構造の実施例を示す説明図である。
【図５】本願の屋根上設置物の取付構造の実施例を示す説明図である。
【図６】本願の屋根上設置物の取付構造で用いるはい樋取付部材の実施例を示す説明図である。
【図７】本願の屋根上設置物の取付構造の実施例を示す説明図である。
【図８】本願の屋根上設置物の取付構造の実施例を示す説明図である。
【図９】従来技術の説明図である。
【図１０】従来技術の説明図である。
【実施例】
【００１５】
本願の屋根上設置物の支持部材および屋根上設置物の取付構造について、図１から図８までにより説明する。図１は、屋根上設置物の支持部材の実施例を示す斜視図である。図２は、本願の屋根上設置物の取付構造の実施例を示す斜視図である。図３は、屋根上設置物の取付構造の実施例のうち、最も棟側（水上側）の部分を示す側面図である。図４は、屋根上設置物の取付構造の実施例のうち、屋根上設置物同士が隣接する部分を示す側面図である。図５は、屋根上設置物の取付構造の実施例のうち、最も軒側（水下側）の部分を示す側面図である。図６は、はい樋取付部材の実施例を示す斜視図である。図７は、屋根上設置物の取付構造の実施例のうち、はい樋が支持部材に係止された部分を示す説明図である。図８は、屋根上設置物の取付構造の実施例のうち、屋根上設置物・支持部材・はい樋の位置関係を示す斜視図である。
【００１６】
また、本願において、屋根Ｙとは、縦葺き、横葺き、折板、成型瓦等のいずれでもよく、その構造・材質等は問わない。そのなかでも、本願では、とくに金属屋根材に対しては、雨水の集中による腐食・錆等を防ぐことができる。たとえば、塗装鋼板、そのなかでも塗装がはがれたり、はがれつつあるものに効果が高い。そのほか、亜鉛系めっき鋼板もあげられる。経年劣化した亜鉛系めっき鋼板製の金属屋根材の場合、雨水が想定以上に集中してしまうと、亜鉛系めっきが溶け出しやすい状態になっているためである。
【００１７】
屋根上設置物Ｐとは、看板、太陽光集熱パネル、太陽光発電パネル等を指す。これらは、屋根上に設置されることによって、従来の雨水の流れを変え、特定箇所への集中滴下を招いてしまう。それに加え、太陽光発電パネルは、表面を流れる雨水が電気を帯びやすいので、金属屋根材の錆の原因になりやすいと考えられる。したがって、本願は、屋根上設置物Ｐが太陽光発電パネルである場合に、効果が高い。
【００１８】
図１に示す支持部材Ｒは、屋根上設置物Ｐを屋根Ｙ上に取り付けるために用いる部材である。そのほか、屋根上設置物Ｐ上において水下側に流れる雨水を受け、支持部材Ｒの端部まで流す役割を果たすので、長尺であることが望ましい。このように、本願の支持部材Ｒは、屋根上設置物を取り付けるほか、屋根の桁行方向に雨水を導く雨樋としての役割も果たすのが特徴である。
【００１９】
支持部材Ｒは、溝底Ｒ１１と、溝底Ｒ１１の水上側および水下側に立面Ｒ１２・Ｒ１２を有する樋部Ｒ１が形成されている。本実施例では、樋部Ｒ１は、断面略Ｕ字状を形成している。溝底Ｒ１１の幅及び立面Ｒ１２の高さについては問わないが、地域ごとの標準雨量、屋根上設置物の面積を勘案して、十分な受水、排水が可能な容量であることが望ましい。なお、立面Ｒ１２は、必ずしも溝底Ｒ１１に対して垂直でなくともよく、斜面を形成するような角度であってもよい。
【００２０】
支持部材Ｒには、立面の上部に載置部Ｒ２が形成されている。本実施例では、水上側に立面の上部に形成された載置部Ｒ２を水上側載置部Ｒ２ａ、水下側に立面の上部に形成された載置部Ｒ２を水下側載置部Ｒ２ａという。水上側載置部Ｒ２ａおよび水下側載置部Ｒ２ｂには、屋根上設置物Ｐが載置される。屋根の流れ方向に所定の間隔で配置された支持部材Ｒ・Ｒに対して、水下側の支持部材Ｒの水上側載置部Ｒ２ａ、水上側の支持部材Ｒの水下側載置部Ｒ２ｂにかけわたすように、屋根上設置物Ｐが取り付けられる。そのため、水上側載置部Ｒ２ａに載置された屋根上設置物Ｐ上を流れる雨水が、樋部Ｒ１に導かれる構造になっている。
【００２１】
１つの支持部材Ｒにおいて、水上側載置部Ｒ２ａと水下側載置部Ｒ２ｂの高さがそれぞれ異なっていてもよい。それぞれ高さが異なる水上側載置部Ｒ２ａと水下側載置部Ｒ２ｂとすると、屋根上設置物Ｐを傾斜した状態で取り付けることができる。たとえば、本実施例のように、水上側載置部Ｒ２ａよりも水下側載置部Ｒ２ｂを高く形成させると、屋根上設置物Ｐを屋根勾配よりも急角度に取り付けることができる。こうすることで、屋根上設置物Ｐの汚れ防止、緩傾斜屋根上における流水勾配確保といった効果が得られる。また、屋根上設置物Ｐが太陽光発電パネルの場合、傾斜させずに設置するのに比べて、設置可能枚数を増やすことができるので、総発電量の向上にもつながる。
【００２２】
載置部Ｒ２に、溝Ｒ２１を設けてもよい。この溝Ｒ２１は、屋根上設置物Ｐ上からその裏面に伝わってしまった雨水を受けることができる。
【００２３】
また、支持部材Ｒの樋部Ｒ１の内側には、固定具係合部Ｒ３・Ｒ３が形成されている。固定具係合部Ｒ３・Ｒ３は、雨水の流れを阻害しないよう、溝底Ｒ１１よりも高い位置に形成されているのが望ましい。なお、本実施例において、固定具係合部Ｒ３は、下向きに開口する引っ掛かり片となっており、固定具Ｋが上側に向かって抜けないように組み合わされる形状になっている。その固定具Ｋは、本実施例の場合は、ボルト固定金具Ｋ１と、ボルトＫ２と、押え金具Ｋ３と、ナットＫ４から成っている。ボルト固定金具Ｋ１は、支持部材係合部Ｋ１１・Ｋ１１と、孔を有する。そして、孔にボルトＫ２が挿通される。押え金具Ｋ３は、屋根上設置物押圧部Ｋ３１と、孔を有する。その孔にボルトＫ２が挿通され、その先端からナットＫ４が組み合わされている。
【００２４】
ボルト固定金具Ｋ１は、孔近傍にボルトＫ２の回り止め片Ｋ１２・Ｋ１２が形成されていてもよい。回り止め片Ｋ１２・Ｋ１２は、ボルトＫ２の頭部が当接されることで回り止めになり、施工性を向上させることができる。また、ボルト固定金具Ｋ１は、屋根上設置物当接部Ｋ１３を形成させることによって、屋根上設置物Ｐの位置決め、および水上側の屋根上設置物Ｐが屋根の流れ方向に滑り落ちることを防止する効果を得ることができる。さらに、固定具Ｋは、ボルト固定金具Ｋ１と、ボルトＫ２と、押え金具Ｋ３と、ナットＫ４をあらかじめ組み合わせておける。屋根上設置物Ｐを取り付けるとき、上向きのボルトＫ２が挿通されたボルト固定金具Ｋ１の支持部材係合部Ｋ１１・Ｋ１１が、支持部材Ｒの固定具係合部Ｒ３・Ｒ３に係合される。そして、ナットＫ４を締め付けると、押え金具Ｋ３が押し下げられ、載置部Ｒ２上に屋根上設置物Ｐが挟まれて、取り付けられる。
【００２５】
本実施例では、屋根の流れ方向に屋根上設置物Ｐが並べて設置されている。ここで、押え金具Ｋ３として、水上側押え金具Ｋ３ａ、中間部押え金具Ｋ３ｂ、水下側押え金具Ｋ３ｃの３種類が記載されている。いずれも、屋根上設置物押圧部Ｋ３１と孔を有するナット受け部Ｋ３２が設けてあることが共通である。
【００２６】
図３に示す実施例は、屋根の流れ方向に並べて設置された屋根上設置物Ｐのうち、最も棟側（水上側）のものの水上側端部を、水上側押え金具Ｋ３ａで押さえた状態を示している。屋根上設置物Ｐの水上側端部を押さえる屋根上設置物押圧部Ｋ３１と、孔が形成されたナット受け部Ｋ３２が形成されている。
【００２７】
図４に示す実施例は、屋根の流れ方向に並べて設置された屋根上設置物Ｐのうち、屋根の流れ方向に隣接するものの端部同士を、中間部押え金具Ｋ３ｂで押さえた状態を示している。水上側の屋根上設置物Ｐの水下側端部を押さえる水上側屋根上設置物押圧部Ｋ３１ａと、水下側の屋根上設置物Ｐの水上側端部に当接される水下側屋根上設置物押圧部Ｋ３１ｂと、孔が形成されたナット受け部Ｋ３２が形成されている。なお、本実施例では、水上側屋根上設置物押圧部Ｋ３１ａおよび水下側屋根上設置物押圧部Ｋ３１ｂに、導通突起Ｋ３１１・Ｋ３１１が形成されている。この導通突起Ｋ３１１・Ｋ３１１は、固定具ＫのナットＫ４が締め付けられたときに、屋根上設置物Ｐに刺さり、隣接するもの同士を固定するとともに、導通させることができる。
【００２８】
図４に示す実施例において、中間部押え金具Ｋ３ｂの上方両端縁をさらに折り下げて折下面とし、その下端に導通突起Ｋ３１１・Ｋ３１１が形成されている。そのため、固定具ＫのナットＫ４を締めすぎても、ボルト固定金具Ｋ１が変形しにくく、容易に、確実な導通状態とすることができる。
【００２９】
図５に示す実施例は、屋根の流れ方向に並べて設置された屋根上設置物Ｐのうち、最も軒側（水下側）のものの水下側端部を、水下側押え金具Ｋ３ｃで押さえた状態を示している。屋根上設置物Ｐの水下側端部を押さえる屋根上設置物押圧部Ｋ３１と、孔が形成されたナット受け部Ｋ３２が形成されている。
【００３０】
また、図１にも示した通り、支持部材Ｒの外側に、係止部Ｒ４が形成されている。本実施例においては、係止部Ｒ４が支持部材Ｒの底面に形成されている。この係止部Ｒ４は、支持部材取付金具Ｃへの係止に用いられる。本実施例では、屋根材Ｙを挟持することによって取り付けられる支持部材取付金具Ｃを用いている。このように支持部材取付金具Ｃを介して支持部材Ｒを係止することによって、屋根Ｙと支持部材Ｒの底面の間に、はい樋Ｔを取り付ける空間を形成させることができる。
【００３１】
また、本実施例では、支持部材Ｒの外側に、係止部Ｒ４が複数形成されており、左右外側双方に開口された形状になっている。このような形状にすることによって、支持部材取付金具Ｃの支持部材係合部Ｃ１の開口方向にあわせて、左右どちらの向きでもスライドさせて組み合わせることができる。その結果、支持部材取付金具Ｃの向きや、支持部材Ｒの取り付けやすさ等に対応でき、作業効率化を実現することができる。
【００３２】
本実施例においては、支持部材取付金具Ｃは、支持部材係合部Ｃ１、押圧ボルト挿通孔Ｃ２が形成されている。支持部材係合部Ｃ１に係止部Ｒ４が係合され、押圧ボルト挿通孔Ｃ２に挿通された押圧ボルトＯを締め付けることによって、支持部材Ｒが取り付けられる構造になっている。なお、本実施例のように、押圧ボルト挿通孔は、ナットが組み合わされてもよいし、押圧ボルト挿通孔にねじきりを形成させてもよい。
【００３３】
この係止部Ｒ４は、支持部材取付金具Ｃへの係止のほか、はい樋取付部材Ｂの係止にも用いられる。この係止部Ｒ４を用いて、支持部材Ｒの端部下方に、はい樋Ｔが取り付けられている。このような構造であることによって、支持部材Ｒの樋部Ｒ１を流れる雨水を、はい樋Ｔで受け、軒先に排出することができる。
【００３４】
本実施例におけるはい樋Ｔは、はい樋部Ｔ１と、取付係合部Ｔ２を有する。はい樋部Ｔ１は、断面略Ｕ字状であり、支持部材Ｒの樋部Ｒ１から雨水を受け、軒先に排出する役割を果たす。取付係合部Ｔ２は、はい樋取付部材Ｂに係合される部分であり、支持部材Ｒの端部下方にはい樋Ｔを吊り下げることができる形状になっている。
【００３５】
図６および図７に示す実施例において、はい樋取付部材Ｂは、支持部材固定部Ｂ１と、はい樋係合部Ｂ２を有する。支持部材Ｒの端部からはい樋取付部材Ｂがはね出すように取り付けられる。そして、はい樋Ｔが、取付係合部Ｔ２によって、はい樋係合部Ｂ２に吊り下げられるように係合される。
【００３６】
はい樋Ｔを用いる場合、支持部材Ｒの端部に水切り部材Ｗが組み合わされてもよい。この水切り部材Ｗによって、支持部材Ｒの樋部Ｒ１を流れる雨水の流れを切ることができる。その結果、雨水が、支持部材Ｒの外側に伝わりにくくなる。
【符号の説明】
【００３７】
Ｐ        屋根上設置物
Ｒ        支持部材
Ｒ１      樋部
Ｒ１１    溝底
Ｒ１２    立面
Ｒ２      載置部
Ｒ２ａ    水上側載置部
Ｒ２ｂ    水下側載置部
Ｒ２１    溝
Ｒ３      固定具係合部
Ｒ４      係止部
Ｃ        支持部材取付金具
Ｃ１      支持部材係合部
Ｏ        押圧ボルト
Ｋ        固定具
Ｋ１      ボルト固定金具
Ｋ１１    支持部材係合部
Ｋ１２    回り止め片
Ｋ１３    屋根上設置物当接部
Ｋ２      ボルト
Ｋ３      押え金具
Ｋ３ａ    水上側押え金具
Ｋ３ｂ    中間部押え金具
Ｋ３ｃ    水下側押え金具
Ｋ３１    屋根上設置物押圧部
Ｋ３１ａ  水上側屋根上設置物押圧部
Ｋ３１ｂ  水下側屋根上設置物押圧部
Ｋ３１１  導通突起
Ｋ３２    ナット受け部
Ｋ４      ナット
Ｔ        はい樋
Ｔ１      はい樋部
Ｔ２      取付係合部
Ｂ        はい樋取付部材
Ｂ１      支持部材固定部
Ｂ２      はい樋係合部
Ｗ        水切り部材
Ｙ        屋根
【図１】
2018141282.tif 000003
【図２】
2018141282.tif 000004
【図３】
2018141282.tif 000005
【図４】
2018141282.tif 000006
【図５】
2018141282.tif 000007
【図６】
2018141282.tif 000008
【図７】
2018141282.tif 000009
【図８】
2018141282.tif 000010
【図９】
2018141282.tif 000011
【図１０】
2018141282.tif 000012